【手続補正書】
【提出日】平成26年3月13日(2014.3.13)
【手続補正１】
【補正対象書類名】特許請求の範囲
【補正対象項目名】請求項１
【補正方法】変更
【補正の内容】
【請求項１】
コントローラに入力される映像データを制御して複数のＬＥＤ表示ユニットで構成されるスクリーンに送信し、前記スクリーンに表示された映像のスクリーンテストを行うスクリーンテスト機能付きＬＥＤ表示装置であって、
前記コントローラは、前記スクリーンの画面全体の映像データを記憶可能な映像メモリと、外部システムより受信したコマンドに基づいて外部より送信されてくる前記映像データの前記映像メモリへの書込み・読出しを制御する画像制御部と、前記画像制御部により制御されるスクリーンテスト回路部および前記映像メモリに記憶された前記映像データを前記スクリーンに送信する映像送信回路部とを備え、
前記スクリーンテスト回路部は、前記映像メモリから入力する映像入力データに所定の透過率αを乗じる第１の乗算器と、スクリーンテストエリアに対して選択または指定されたテスト色に透過率（１−α）を乗じる第２の乗算器と、前記第１の乗算器の出力データと前記第２の乗算器の出力データを加算する加算器と、スクリーンテストエリア選択信号に基づいて前記映像入力データと前記加算器の出力データのいずれかを選択し、選択したデータを前記スクリーンに表示する表示映像として出力するセレクタとを有していることを特徴とするスクリーンテスト機能付きＬＥＤ表示装置。 
【手続補正２】
【補正対象書類名】明細書
【補正対象項目名】０００３
【補正方法】変更
【補正の内容】
【０００３】
従来では、ブロックテストで用いられるブロックあるいはクロスラインテストで用いられるクロスラインは、不透明な白色あるいは黒色であるので、ブロックあるいはクロスラインによってスクリーン上に表示されている映像を隠してしまう。
従って、検査者は、スクリーンテスト中において、スクリーンに表示されている映像の全てを見ることができない。
なお、特開２００４−０５６６１４号公報、特開２００４−３３３８０２号公報、特開２００７−３２２８１４号公報などに記載されている従来の大型表示装置では、ブロックテストは、不透明な白色あるいは黒色のブロックを用いて、画像制御部あるいは映像メモリ部によりスクリーンテスト中に行っていた。
【手続補正３】
【補正対象書類名】明細書
【補正対象項目名】０００５
【補正方法】変更
【補正の内容】
【０００５】
従来のＬＥＤ表示装置のスクリーンテストでは、ブロックテストで用いられるブロックあるいはクロスラインテストで用いられるクロスラインは、不透明な白色あるいは黒色であるので、スクリーンに映像を表示中にブロックテストあるいはクロスラインテストを行うと、数字や文字情報などの重要情報を表示している映像の一部が、ブロックあるいはクロスラインで隠れてしまうことがある。
従って、スクリーンテストを行う検査者は、スクリーンに表示されている映像の全てを目視（検査）することができないので、映像を表示して行うスクリーンテストを中断してブロックあるいはクロスラインで隠れている映像を確認する必要があった。
すなわち、従来では、スクリーンに映像を表示中において効率良く（容易に）スクリーンテストを行えないという問題点があった。
【手続補正４】
【補正対象書類名】明細書
【補正対象項目名】０００７
【補正方法】変更
【補正の内容】
【０００７】
この発明に係わるスクリーンテスト機能付きＬＥＤ表示装置は、コントローラに入力される映像データを制御して複数のＬＥＤ表示ユニットで構成されるスクリーンに送信し、前記スクリーンに表示された映像のスクリーンテストを行うスクリーンテスト機能付きＬＥＤ表示装置であって、
前記コントローラは、前記スクリーンの画面全体の映像データを記憶可能な映像メモリと、外部システムより受信したコマンドに基づいて外部より送信されてくる前記映像データの前記映像メモリへの書込み・読出しを制御する画像制御部と、前記画像制御部により制御されるスクリーンテスト回路部および前記映像メモリに記憶された前記映像データを前記スクリーンに送信する映像送信回路部とを備え、
前記スクリーンテスト回路部は、前記映像メモリから入力する映像入力データに所定の透過率αを乗じる第１の乗算器と、スクリーンテストエリアに対して選択または指定されたテスト色に透過率（１−α）を乗じる第２の乗算器と、前記第１の乗算器の出力データと前記第２の乗算器の出力データを加算する加算器と、スクリーンテストエリア選択信号に基づいて前記映像入力データと前記加算器の出力データのいずれかを選択し、選択したデータを前記スクリーンに表示する表示映像として出力するセレクタとを有しているものである。 
【手続補正５】
【補正対象書類名】明細書
【補正対象項目名】００１０
【補正方法】変更
【補正の内容】
【００１０】
以下、図面に基づいて本発明のいくつかの実施の形態について説明する。
なお、各図間において、同一符号は同一あるいは相当のものであることを表す。
実施の形態１．
図１は、本発明に係わる「スクリーンテスト機能付きＬＥＤ表示装置」の全体構成を示す図である。
また、図２は、実施の形態１におけるスクリーンテスト回路部の構成を示した図であって、図１に示したスクリーンテスト回路部１７０の構成を概念的に示す図である。
図１に示すように、本発明に係わる「スクリーンテスト機能付きＬＥＤ表示装置」には、大別して、コントローラ１００と縦横ｍ個×ｎ個の複数個のＬＥＤ表示ユニット２２０により構成されたスクリーン２００とが配置されている。 
【手続補正６】
【補正対象書類名】明細書
【補正対象項目名】００２０
【補正方法】変更
【補正の内容】
【００２０】
以上説明したように、本実施の形態によるスクリーンテスト機能付きＬＥＤ表示装置は、コントローラ１００に入力された映像データを制御して複数のＬＥＤ表示ユニット２２０で構成されるスクリーン２００に送信し、スクリーン２００に表示される映像のスクリーンテストを行うスクリーンテスト機能付きＬＥＤ表示装置であって、
コントローラ１００は、スクリーン２００の画面全体の映像データを記憶可能な映像メモリ１６０と、図示しない外部システムより受信したコマンドに基づいて外部より送信されてくる映像データの映像メモリ１６０への書込み・読出しを制御する画像制御部１３０と、画像制御部１３０により制御されるスクリーンテスト回路部１７０および映像メモリ１６０に記憶された映像データをスクリーン２００に送信する映像送信回路部１８０とを備えている。 
【手続補正７】
【補正対象書類名】明細書
【補正対象項目名】００２７
【補正方法】変更
【補正の内容】
【００２７】
この結果、ブロックテストあるいはクロスラインテストの部分（すなわち、スクリーンテストエリア）は、映像データが指定された白色あるいは黒色以外のテスト色から透過率α分透明になった表示となる。
従って、従来のＬＥＤ表示装置での映像表示中のスクリーンテストにおいて、表示映像中の重要情報の一部が不透明なブロックやクロスラインで隠れてしまうという問題点が解消され、映像表示中に表示を中断することなく、且つ、スクリーンテスト色生成回路１７４で生成した色によりスクリーンテストを実施することができる。
なお、映像データ自体が白色や黒色の模様で生成されていた場合、テスト色として白色あるいは黒色しか使用できないと、いくら半透明になっても、「ブロックテストのブロック」や「クロスラインテストのライン」を判別し難いが、本実施の形態によれば、白色、黒色以外の所望のテスト色でも半透明のスクリーンテストを行えるので、さらに、スクリーンテストの効率・信頼性が良くなる。 
【手続補正８】
【補正対象書類名】明細書
【補正対象項目名】００２８
【補正方法】変更
【補正の内容】
【００２８】
以上説明したように、本実施の形態によるスクリーンテスト機能付きＬＥＤ表示装置のスクリーンテスト回路部は、スクリーンテスト色生成回路１７４を備え、スクリーンテスト色生成回路１７４で指定した所望のスクリーンテスト色にて半透明のスクリーンテストを行えることを特徴とする。
本実施の形態によれば、白色、黒色以外の所望のテスト色で半透明のスクリーンテストを行えるので、スクリーンテストの効率・信頼性がさらに良くなる。 
【手続補正９】
【補正対象書類名】明細書
【補正対象項目名】００３３
【補正方法】変更
【補正の内容】
【００３３】
この結果、スクリーンテストエリア生成回路１７５により生成した図形は、透過率α分は映像メモリ１６０から出力される映像データ、透過率（１−α）分はテスト色の半透明表示となり、従来のＬＥＤ表示装置での映像表示中のスクリーンテストにおいて、表示映像中の重要情報の一部がスクリーンテストで隠れてしまうという問題点が解消される。
従って、映像表示中に表示を中断することなく、且つ、ブロックやクロスラインだけでなく、スクリーンテストエリア生成回路１７５により生成した丸や三角あるいはそれらを組み合わせた図形のスクリーンテストエリアにおいてスクリーンテストを実施することができる。
特に、本実施の形態では、スクリーンにロゴなどの固定表示を行う場合に効果があり、丸や三角あるいはそれらを組み合わせた形状のロゴ部分を半透明にすることにより、スクリーンテスト中においても、ロゴも映像入力も認識できる。 
【手続補正１０】
【補正対象書類名】明細書
【補正対象項目名】００３４
【補正方法】変更
【補正の内容】
【００３４】
以上説明したように、本実施の形態によるスクリーンテスト機能付きＬＥＤ表示装置のスクリーンテスト回路部はスクリーンテストエリア生成回路１７５を備え、スクリーンテストエリア生成回路１７５で生成した所望の図形をしたスクリーンテストエリアにて半透明のスクリーンテストを行える。従ってスクリーンテスト中においても、ロゴも映像入力も認識できる。